(57)【要約】【課題】農薬散布量を正確に計測表示し得る小型流量計を備えた農薬散布装置を提供することにより、適正な散布量による農薬散布の実施及び散布量の徹底管理等が容易に行え、もって農薬の飛散防止を促進すると供に農業従事者の負担軽減を促進することを目的とする。【解決手段】農薬収納部と、農薬散布器と、農薬収納部と農薬散布器とを接続する農薬送出管と、を備えた農薬散布装置であり、農薬散布器は、先端に設けられた農薬散布用ノズルと、ノズルと農薬送出管とを接続し、農薬を流出させる農薬流出路を内部に有する略棒状の流出パイプ兼支持杆と、農薬流出路に設けられた流量検出センサと、流量検出センサからの計測値から農薬散布量をデジタル表示するデジタル表示器と、を有し、流量デジタル表示器は方形体状の本体と、本体表面部に設けられた表示部とを有し、本体は流出パイプ兼支持杆長手方向に取り付け位置調節可能に取り付けられた、ことを特徴とする。【選択図】              図１
0003122858.tif 000002
【実用新案登録請求の範囲】
【請求項１】
農薬収納部と、農薬散布器と、該農薬収納部と農薬散布器とを接続する農薬送出管と、
を備えた農薬散布装置であり、
前記農薬散布器は、先端に設けられた農薬散布用ノズルと、該ノズルと前記農薬送出管とを接続し、農薬を流出させる農薬流出路を内部に有する略棒状の流出パイプ兼支持杆と、前記農薬流出路に設けられた流量検出センサと、前記流量検出センサからの計測値から農薬散布量をデジタル表示するデジタル表示器と、を有し、
前記流量デジタル表示器は方形体状の本体と、本体表面部に設けられた表示部とを有し、前記本体は流出パイプ兼支持杆長手方向に取り付け位置調節可能に取り付けられた、
ことを特徴とする農薬散布装置。
【考案の詳細な説明】
【技術分野】
【０００１】
本考案は、農薬散布装置に係るものであり、特に可搬型農薬散布器を有する農薬散布装置に関するものである。
【背景技術】
【０００２】
従来、農業用の携帯式農薬散布装置は、作業者が農薬タンクを背負い、該農薬タンクから延びるホースにノズル管を取り付け、該ノズル管によって農薬を散布するタイプのものがあった。
【０００３】
そしてこれらの携帯式農薬散布装置には、通常農薬流量についての計測装置等は備え付けられていないのが一般的である。このため、例えば畑などに農薬を散布する場合、畑全体に散布した農薬の総量等は、タンクへの供給量から残余量を差し引くことによって求めることになる。具体的には、例えば農薬タンクを満タンにした回数と最終的なタンク内残余量から算出され得る。しかしこのような算出方法では、大まかな量しか算出できず、例えば満タンにした回数を誤ったり、残余量の目印を見誤ったりすることにより大きな誤差が生ずるものであった。しかしながら、これらの携帯式農薬散布装置は小規模な畑等に使用されることから、これらの誤差や、散布農薬総量等の管理について特に問題とはならなかった。
【特許文献１】実願平８−１０９７８号公報
【考案の開示】
【考案が解決しようとする課題】
【０００４】
しかしながら、農薬をめぐる種々の問題に対応すべく近年様々な法改正がなされてきた。例えば、農薬使用基準を改正し、農薬使用者の遵守すべき使用規準を具体的に定め、違反した場合の罰則までも規定している。また努力規定として農薬使用日、使用場所、作物、及び農薬の種類、散布量を記帳すること等を定めている。
【０００５】
さらに、残留農薬基準に係るポジティブリスト制度が施行されようとしている。本制度施行前は、一つの作物に対して複数の農薬が登録され、その各農薬の残留農薬基準値が設定されていた。したがってその作物について登録されていない農薬が一定量検出されたとしても、その農薬に対する基準値が設定されてないことから、その作物の流通は何等規制されることはなかった。しかし、本制度施行後は、残留基準の定められていない農薬については、一定量（0.01ppm）を残留基準と規定し、これを超える農薬等が検出された作物は、流通を禁止されることになる。このため、例えば隣の作柄の異なる畑で散布された農薬が飛散し、出荷直前の作物にかかり、その農薬が、当該作物に登録されていないものであったとすると、当該作物は出荷禁止となってしまう可能性が生じるのである。
【０００６】
したがって、これらの諸法規を遵守するためには、農薬使用者である農業従事者が、農薬散布に関してこれまで以上に注意を払う必要がある。具体的には、基本的な散布操作を学習し、それを励行して農薬の飛散をしないよう絶えず気をつける等が考えられる。そして、このためには、適正な農薬散布量で散布することや、散布量の管理等を今まで以上に徹底して行うことが要請される。
【０００７】
本考案は、上記課題に鑑みてなされたものであり、その目的とするところは、農薬散布量を正確に計測表示し得る小型流量計を備えた農薬散布装置を提供することにより、適正な散布量による農薬散布の実施及び散布量の徹底管理等が容易に行え、もって農薬の飛散防止を促進すると供に農業従事者の負担軽減を促進することにある。
【課題を解決するための手段】
【０００８】
本考案による農薬散布装置は、
農薬収納部と、農薬散布器と、該農薬収納部と農薬散布器とを接続する農薬送出管と、
を備えた農薬散布装置であり、
前記農薬散布器は、先端に設けられた農薬散布用ノズルと、該ノズルと前記農薬送出管とを接続し、農薬を流出させる農薬流出路を内部に有する略棒状の流出パイプ兼支持杆と、前記農薬流出路に設けられた流量検出センサと、前記流量検出センサからの計測値から農薬散布量をデジタル表示するデジタル表示器と、を有し、
前記流量デジタル表示器は方形体状の本体と、本体表面部に設けられた表示部とを有し、前記本体は流出パイプ兼支持杆長手方向に取り付け位置調節可能に取り付けられた、
ことを特徴とするものである。
【考案の効果】
【０００９】
本考案に係る農薬散布装置であれば、農薬散布量を正確に計測表示し得る小型流量計を備えているため、適正な散布量による農薬散布が容易に実施可能となる。また、行った農薬散布量の管理等が容易かつ正確になされ、もって農薬の飛散防止と農業従事者の負担軽減が促進される。
【考案を実施するための最良の形態】
【００１０】
以下、図に基づいて本考案に係る農薬散布装置１の一実施の態様について説明する。
【００１１】
図１は農薬散布装置１の全体構成を示す。農薬散布装置１は、農薬収納部２と、農薬散布器３と、該農薬収納部２と農薬散布器３とを接続する農薬送出管４とを備えて構成される。
【００１２】
ここで、農薬収納部２は、従来のいわゆる農薬タンクに該当するものであり、その態様は、農薬散布時に作業者が肩に掛けたり背負ったりすることが可能な小型のものであっても、エンジン付き動力噴霧器で使用する大型のものであっても構わない。
【００１３】
また、該農薬収納部２内の農薬を農薬散布器３に送るための機構は、蓄圧式、電動式、動力式（エンジン式）のいずれであっても構わないものである。したがって、気密性や耐圧性能については特に限定されるものではない。
【００１４】
農薬送出管４は、例えば可撓性を有したチューブ状のものであり耐薬品性や耐久性等を必要とすることから、塩化ビニール、シリコンゴム又は合成樹脂等から形成されたものであることが好ましい。但しこれらを材質とした農薬送出管４に限定されるものではない。
【００１５】
次に農薬散布器３の一例を図２乃至図４に示す。農薬散布器３は、例えば略棒状の流出パイプ兼支持杆７を本体部として構成され、該流出パイプ兼支持杆７の長手方向先端部（図２、図３で向かって右側）に農薬散布用ノズル５が装着されている。該農薬散布用ノズル５については、通常の農薬噴霧が可能であればその態様については特に限定されるものではない。
【００１６】
ここで、前記農薬散布用ノズル５の近傍には、流出パイプ兼支持杆７の長手方向に取り付け位置調節可能に流量デジタル表示器９が取り付けられている。該流量デジタル表示器９は、例えば直方体状をなす本体１０と本体表面部に設けられた表示部１１とを有して構成されている。ここで該本体１０は、図３から理解されるように留め金１２により流出パイプ兼支持杆７に締結され、該留め金１２を解除することにより、取り付け位置の調節が可能となる。
【００１７】
また、農薬散布器３が屋外で使用するものであることから、前記流量デジタル表示器９は、防水加工されていることが望ましい。ここで、表示部１１は、例えば低コストでありかつ低電流で動作可能なモノクロ表示の液晶を使用して構成してもよい。なお、表示される内容は、単位、L/minでの数値表示が考えられる。実施例においては例えば０．５L/min〜３５L/minの広い計測範囲をカバー出来るように構成されている。
【００１８】
表示については、前述のように、コストの面からモノクロ仕様のものでも十分であるが、屋外で使用することから視認性を高めるために以下の実施例が考えられる。
１．カラー液晶表示部を使用することにより太陽光の下での視認性を向上させ得る。
２．表示部に窓式の覆いを設けることにより、悪天候の下での視認性を向上させ得る。
３．表示部前面にレンズ付きガラスを設けることにより表示拡大させて視認性を向上させ得る。
４．デジタル表示部と共に音声表示機能を付加させることにより、散布流量の的確な把握が可能となる。
また前記流量デジタル表示器９の電源については、電池内蔵型が望ましい。
【００１９】
ところで、前記流出パイプ兼支持杆７の長手方向略中央部と後端（図２、図３で向かって左側）近傍部には、例えば２個のグリップ１３が取り付けられている。農薬散布作業に当たって該グリップを支持することにより、適正な農薬散布作業が図れる。また、前記流量デジタル表示器９の表示部１１が目先に位置することになり、農薬流量指示の視認性が向上する。
【００２０】
図４は、図３のＡ−Ａ断面及び一部を拡大表示した図を示す。図４から明らかなように前記流出パイプ兼支持杆７内部には、前記農薬送出管４と前記農薬散布用ノズル５とを接続し、農薬を流出させる農薬流出路６が形成されている。但し、例えば農薬送出管４が、流出パイプ兼支持杆７内部を通過し直接農薬散布用ノズル５に接続する構成であっても構わない。
【００２１】
ここで、前記農薬流出路６に流量検出センサ８が設置されている。該流量検出センサ８には例えば流体による羽根車１４の回転数を計測し、該計測量から流体の流量を算出するインペラ式流量センサ等が用いられる。本実施例においては、前記流量検出センサ８を流出パイプ兼支持杆７内部に設置しているが、設置位置は流出パイプ兼支持杆７内部に限定されるものではない。
【００２２】
図５は、流量検出センサ８を流出パイプ兼支持杆７の外側に設置した例を示す。本実施例においては、農薬収納部２と連結された農薬送出管４と該流量検出センサ８の一端側を接続し、該流量検出センサ８を例えば留め金１２により流出パイプ兼支持杆７に締結する。そして、該流量検出センサ８の他端側と新たな農薬送出管４の一端側を接続し、一方該農薬送出管４の他端側は、流出パイプ兼支持杆７の略中央部に穿設された連通孔から該流出パイプ兼支持杆７の内部を通過して前記農薬散布用ノズル５に直接接続するものである。本実施例であれば、製作容易であることから低コストで製作でき、流量検出センサの脱着可能であることから容易なメンテナンスを可能とするなどの効果が発揮できる。
【図面の簡単な説明】
【００２３】
【図１】本考案の構成を説明する構成説明図である。
【図２】本考案の農薬散布器の構成を説明する構成説明図（その１）である。
【図３】本考案の農薬散布器の構成を説明する構成説明図（その２）である。
【図４】本考案の農薬散布器の一部を拡大表示した構成説明図である。
【図５】本考案の農薬散布器の構成を説明する構成説明図（その３）である。
【符号の説明】
【００２４】
１    農薬散布装置
２    農薬収納部
３    農薬散布器
４    農薬送出管
５    農薬散布用ノズル
６    農薬流出路
７    流出パイプ兼支持杆
８    流量検出センサ
９    デジタル表示器
１０    デジタル表示器本体
１１    表示部  
【図１】
0003122858.tif 000003
【図２】
0003122858.tif 000004
【図３】
0003122858.tif 000005
【図４】
0003122858.tif 000006
【図５】
0003122858.tif 000007